(57)【要約】【課題】加入者カードが装着されて動作する携帯電話機において、他人の加入者カードが装着されたときに内部情報の流出を防止する。【解決手段】ＳＩＭカード２１が設定された後、電源がオン状態にされたとき、任意のＳＩＭカードが装着されて通常動作を行うように設定されていれば、通常動作が行われる。一方、許可された加入者のＳＩＭカード２１が装着されているときにのみ通常動作を行うように設定されている状態で、同ＳＩＭカード２１が装着されたとき、ＳＩＭカード２１の加入者識別データがＳＩＭ１８で読み取られ、同加入者識別データが記憶部１５に記憶されている加入者識別データと一致するか否かが検出される。これらの加入者識別データが一致したとき、通常動作が行われる。また、加入者識別データが一致しないとき、携帯電話機１１は動作せず、記憶部１５に記憶されている情報が他人に読み出されることはない。【選択図】      図１
2004328372.tif 000002
【特許請求の範囲】
【請求項１】
電話加入者を識別するための加入者識別データを含む加入者データが記録された加入者カードが装着されているときに該加入者データに基づいて通常動作を行う携帯電話機であって、
当該電話機の使用が許可された電話加入者の加入者識別データを少なくとも１つ予め記憶する識別データ記憶部と、
装着された加入者カードに記録されている加入者識別データを読み取る識別データ読取り部と、
前記識別データ読取り部で読み取られた加入者識別データを前記識別データ記憶部に記憶されている加入者識別データに基づいて照合して一致するか否かを検出する一致／不一致検出部と、
前記一致／不一致検出部で一致しているとの検出結果が得られたときに前記通常動作のための制御を行う制御部とを備えてなることを特徴とする携帯電話機。
【請求項２】
前記制御部は、
前記一致／不一致検出部における検出結果が不一致のとき、当該電話機の位置情報を所定の場所に通知する構成とされていることを特徴とする請求項１記載の携帯電話機。
【請求項３】
前記制御部は、
無線基地局を介して加入者交換局に位置登録動作のみを繰り返し行う構成とされていることを特徴とする請求項２記載の携帯電話機。
【請求項４】
請求項２記載の携帯電話機において、
当該電話機の周辺の画像を撮像する撮像手段が設けられ、
前記制御部は、
前記撮像手段で撮像された前記画像を予め設定されているアドレスに送出する構成とされていることを特徴とする携帯電話機。
【請求項５】
電話加入者を識別するための加入者識別データを含む加入者データが記録された加入者カードが装着されているときに該加入者データに基づいて通常動作を行う携帯電話機に用いられ、
当該電話機の使用が許可された電話加入者の加入者識別データを少なくとも１つ予め記憶する識別データ記憶処理と、
装着された加入者カードの加入者識別データを読み取る識別データ読取り処理と、
前記読み取られた加入者識別データを前記記憶されている加入者識別データに基づいて照合して一致するか否かを検出する一致／不一致検出処理と、
前記一致／不一致検出処理において一致しているとの検出結果が得られたときに前記通常動作のための制御を行う制御処理とを行うことを特徴とする制御方法。
【請求項６】
前記制御処理では、
前記一致／不一致検出処理における検出結果が不一致のとき、当該電話機の位置情報を所定の場所に通知することを特徴とする請求項５記載の制御方法。
【請求項７】
コンピュータに請求項１、２、３又は４記載の携帯電話機を制御させるための制御プログラム。
【発明の詳細な説明】
【０００１】
【発明の属する技術分野】
この発明は、携帯電話機、該携帯電話機に用いられる制御方法及び制御プログラムに係り、たとえば、ＳＩＭ（Ｓｕｂｓｃｒｉｂｅｒ  Ｉｄｅｎｔｉｔｙ  Ｍｏｄｕｌｅ）カードなどのような加入者カードが装着されて使用される携帯電話機、該携帯電話機に用いられる制御方法及び制御プログラムに関する。
【０００２】
【従来の技術】
日本国内で使用される携帯電話機は、加入時に内部のメモリに加入者ＩＤ（加入者識別データ）などが書き込まれるが、近年では、ＳＩＭカードを装着して使用する形態の携帯電話機が製作されている。ＳＩＭカードは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ  ）方式の携帯電話機に用いられ、加入者情報（加入者ＩＤ、加入者の電話番号など）、契約先電話会社との契約情報（通話料金など）、短縮ダイヤル、相手先電話番号リスト（電話帳）など、携帯電話機が同ＳＩＭカードを所有する加入者に対応した動作を行うための加入者データが記録されている。そして、ユーザは、ＳＩＭカードのみを携行し、たとえば移動先などで携帯電話機を借用し、同ＳＩＭカードを装着して利用することができる。
【０００３】
この種の携帯電話機は、従来では、たとえば図５に示すものがある。
この携帯電話機１は、同図に示すように、アンテナ２と、無線部３と、制御部４と、記憶部５と、表示部６と、操作部７と、ＳＩＭ８とから構成され、同ＳＩＭ８には、ＳＩＭカード９が装着されるようになっている。無線部３は、アンテナ２を介して図示しない無線基地局との間で電波Ｗを送受信し、通話中の着信信号の受信や発信信号の送信などを行う。制御部４は、たとえばＣＰＵ（中央処理装置）などで構成され、携帯電話機１全体を制御する。
【０００４】
記憶部５は、たとえばＲＡＭ（Ｒａｎｄａｍ  Ａｃｃｅｓｓ  Ｍｅｍｏｒｙ）などで構成され、着信した電子メールなどのようなユーザの個人情報が記憶される。表示部６は、たとえばＬＣＤ（液晶表示装置）などで構成され、動作時における各種の情報を表示する。操作部７は、送信キー、英字／カナ／漢字／数字の変換キー、電源のオン／オフキー、カーソル操作を行うための十文字キー、及び終了キーなどから構成されている。ＳＩＭ８は、ＳＩＭカード９を装着するためのスロットを有し、同ＳＩＭカード９に対して加入者データの読出し及び書込みを行う。ＳＩＭカード９は、加入者データを記録する。
【０００５】
この携帯電話機１では、ＳＩＭカード９がＳＩＭ８に装着されたとき、同ＳＩＭカード９に記録されている加入者データがＳＩＭ８で読み出される。そして、操作部７で通話や電子メールの送受信などを指令する操作が行われ、制御部４により各部が制御されて、発信や着信などの通常動作が行われる。
【０００６】
上記の携帯電話機の他、従来、この種の技術としては、たとえば、次のような文献に記載されるものがあった。
特許文献１に記載された携帯電話を用いた電子商取引システムでは、携帯電話番号とＳＩＭカード識別情報とが利用者情報データベースに予め登録されている。そして、ホストサーバが携帯電話機と無線接続して電子商取引を行うとき、同ホストサーバにより、同携帯電話機の携帯電話番号とＳＩＭカード識別情報とが、利用者情報データベースに予め登録されている内容と照合され、一致する場合にのみ、同ホストサーバから携帯電話機にサービスが提供されるので、ＳＩＭカードの盗難や紛失時における不正な電子商取引が防止される。
【０００７】
【特許文献１】
特開２００２−２７９３２５号公報（第１頁、図１）
【０００８】
【発明が解決しようとする課題】
しかしながら、上記従来の携帯電話機では、次のような問題点があった。
すなわち、図５の携帯電話機１では、ＳＩＭカードに対するロック機能により、装着されているＳＩＭカードが機能しないようにすることはできるが、任意のＳＩＭカードが装着されて動作するものである。このため、携帯電話機１が盗難にあったときや紛失したとき、ＳＩＭカードが入れ替えられれば他人に使用され、記憶部５に記憶されている情報が他人に簡単に読み出されるという問題点がある。
【０００９】
また、特許文献１に記載された電子商取引システムでは、ＳＩＭカードの盗難や紛失時における不正な電子商取引は防止されるが、携帯電話機の盗難や紛失時における不正使用は防止されず、内部に記憶されている情報が他人に読み出されることは防止されない。
【００１０】
この発明は、上述の事情に鑑みてなされたもので、盗難などに遭ってＳＩＭカードが入れ替えられても、使用できず、また内部の情報も漏れることのない携帯電話機、該携帯電話機に用いられる制御方法及び制御プログラムを提供することを目的としている。
【００１１】
【課題を解決するための手段】
上記課題を解決するために、請求項１記載の発明は、電話加入者を識別するための加入者識別データを含む加入者データが記録された加入者カードが装着されているときに該加入者データに基づいて通常動作を行う携帯電話機に係り、当該電話機の使用が許可された電話加入者の加入者識別データを少なくとも１つ予め記憶する識別データ記憶部と、装着された加入者カードに記録されている加入者識別データを読み取る識別データ読取り部と、前記識別データ読取り部で読み取られた加入者識別データを前記識別データ記憶部に記憶されている加入者識別データに基づいて照合して一致するか否かを検出する一致／不一致検出部と、前記一致／不一致検出部で一致しているとの検出結果が得られたときに前記通常動作のための制御を行う制御部とを備えてなることを特徴としている。
【００１２】
請求項２記載の発明は、請求項１記載の携帯電話機に係り、前記制御部は、前記一致／不一致検出部における検出結果が不一致のとき、当該電話機の位置情報を所定の場所に通知する構成とされていることを特徴としている。
【００１３】
請求項３記載の発明は、請求項２記載の携帯電話機に係り、前記制御部は、無線基地局を介して加入者交換局に位置登録動作のみを繰り返し行う構成とされていることを特徴としている。
【００１４】
請求項４記載の発明は、請求項２記載の携帯電話機に係り、当該電話機の周辺の画像を撮像する撮像手段が設けられ、前記制御部は、前記撮像手段で撮像された前記画像を予め設定されているアドレスに送出する構成とされていることを特徴としている。
【００１５】
請求項５記載の発明は、制御方法に係り、電話加入者を識別するための加入者識別データを含む加入者データが記録された加入者カードが装着されているときに該加入者データに基づいて通常動作を行う携帯電話機に用いられ、当該電話機の使用が許可された電話加入者の加入者識別データを少なくとも１つ予め記憶する識別データ記憶処理と、装着された加入者カードの加入者識別データを読み取る識別データ読取り処理と、前記読み取られた加入者識別データを前記記憶されている加入者識別データに基づいて照合して一致するか否かを検出する一致／不一致検出処理と、前記一致／不一致検出処理において一致しているとの検出結果が得られたときに前記通常動作のための制御を行う制御処理とを行うことを特徴としている。
【００１６】
請求項６記載の発明は、請求項５記載の制御方法に係り、前記制御処理では、前記一致／不一致検出処理における検出結果が不一致のとき、当該電話機の位置情報を所定の場所に通知することを特徴としている。
【００１７】
請求項７記載の発明は、制御プログラムに係り、コンピュータに請求項１、２、３又は４記載の携帯電話機を制御させることを特徴としている。
【００１８】
【発明の実施の形態】
以下、図面を参照して、この発明の実施の形態について説明する。
図１は、この発明の実施形態である携帯電話機の電気的構成を示すブロック図である。
この形態の携帯電話機１１は、同図１に示すように、アンテナ１２と、無線部１３と、制御部１４と、記憶部１５と、表示部１６と、操作部１７と、ＳＩＭ１８と、撮像部１９と、画像処理部２０とから構成され、同ＳＩＭ１８には、ＳＩＭカード２１が装着されるようになっている。特に、この実施形態では、携帯電話機１１はＧＳＭ方式のものであり、ＳＩＭカードが装着されているときに通常動作を行う。
【００１９】
無線部１３は、アンテナ１２を介して図示しない無線基地局との間で電波Ｗを送受信し、通話中の着信信号の受信や発信信号の送信などを行う。記憶部１５は、たとえばＲＡＭなどで構成され、電子メールなどのようなユーザの個人情報が記憶される他、特に、この実施形態では、携帯電話機１１の使用が許可された電話加入者の加入者識別データを少なくとも１つ予め記憶する。表示部１６は、たとえばＬＣＤなどで構成され、動作時における各種の情報を表示する。操作部１７は、送信キー、英字／カナ／漢字／数字の変換キー、電源のオン／オフキー、カーソル操作を行うための十文字キー、及び終了キーなどから構成され、ユーザの操作に基づいて入力信号を生成して制御部１４へ送出する。ＳＩＭ１８は、ＳＩＭカード２１を装着するためのスロットを有し、同ＳＩＭカード２１が装着されて同ＳＩＭカード２１の加入者識別データを読み取る他、加入者データの読出し及び書込みを行う。
【００２０】
ＳＩＭカード２１は、加入者識別データ、携帯電話機１１の端末電話番号、電話帳データなど、加入者データを記録する。撮像部１９は、たとえばＣＣＤカメラなどで構成され、携帯電話機１１の周辺の映像を取り込んで映像信号を生成する。画像処理部２０は、撮像部１９から出力される映像信号を取り込んで所定の信号レベルに増幅し、増幅後の映像信号をアナログ／デジタル変換すると共に画像処理（たとえば、ガンマ補正、ホワイトバランス調整など）を行う。
【００２１】
制御部１４は、携帯電話機１１全体を制御するＣＰＵ１４ａ及び同ＣＰＵ１４ａを動作させるための制御プログラムが記録されたＲＯＭ（リード・オンリ・メモリ）１４ｂを有し、無線部１３からの受信信号の解析、操作部からの入力信号の解析、及びこれらに伴った他の要素を制御を行う。また、制御部１４には、一致／不一致検出部１４ｃが設けられている。一致／不一致検出部１４ｃは、ＳＩＭ１８で読み取られた加入者識別データを記憶部１５に記憶されている加入者識別データに基づいて照合して一致するか否かを検出する。そして、制御部１４は、一致／不一致検出部１４ｃで一致しているとの検出結果が得られたときに通常動作のための制御を行う一方、不一致の検出結果が得られたときに携帯電話機１１の位置情報を所定の場所に通知する。
【００２２】
図２は、携帯電話機１１の使用が許可された電話加入者のＳＩＭカードが同携帯電話機１１に設定される動作を説明するフローチャート、図３は、ＳＩＭカードが装着されたときの携帯電話機１１の動作を説明するフローチャート、及び図４が、携帯電話機１１の使用が許可されていない電話加入者のＳＩＭカードが装着されたときの携帯電話機１１の動作を説明するフローチャートである。
これらの図を参照して、この形態の携帯電話機に用いられる制御方法の処理内容について説明する。
携帯電話機１１の使用が許可された電話加入者のＳＩＭカード２１がＳＩＭ１８に装着された状態で操作部１７が操作され、図２に示すように、同ＳＩＭカード２１を携帯電話機１１に設定するためのＳＩＭ設定画面が表示部１６に表示される（ステップＡ１）。この場合、既に他のＳＩＭカードが設定されている場合、操作部１７が操作されて携帯電話機１１に対応した暗証番号が入力され（ステップＡ２）、同ＳＩＭカードの設定が解除される（ステップＡ３）。この後、操作部１７が操作されて前記暗証番号が入力され（ステップＡ２）、ＳＩＭカード２１の加入者識別データがＳＩＭ１８で読み取られ、同ＳＩＭカード２１の加入者識別データが記憶部１５に記憶され、同ＳＩＭカード２１が設定される（識別データ記憶処理、ステップＡ３）。
【００２３】
ＳＩＭカード２１が設定された後、図３に示すように、電源がオン状態にされたとき、任意のＳＩＭカードが装着されて通常動作を行うように設定されていれば（ステップＢ１）、通常動作が行われる（ステップＢ３）。一方、携帯電話機１１の使用が許可された電話加入者のＳＩＭカードが装着されているときにのみ通常動作を行うように設定されている状態（ステップＢ１）で、ＳＩＭカード２１が装着されたとき、同ＳＩＭカード２１の加入者識別データがＳＩＭ１８で読み取られ（識別データ読取り処理）、同識別データと記憶部１５に記憶されている加入者識別データに基づいて照合されて一致するか否かが検出される（一致／不一致検出処理、ステップＢ２）。これらの加入者識別データが一致したとき、通常動作が行われる（制御処理、ステップＢ３）。また、前記ステップＢ２において、加入者識別データが一致しないとき、携帯電話機１１は動作せず、記憶部１５に記憶されている情報が他人に読み出されることはない。
【００２４】
また、前記ステップＢ２において、加入者識別データが一致しないとき、ステップＢ４へ進み、特殊動作が行われる。すなわち、図４に示すように、特殊動作が行われるように設定されている場合（ステップＣ１）、携帯電話機１１の使用が許可されていない電話加入者のＳＩＭカードが装着されたことが表示部１６に表示される共に、同携帯電話機１１の位置情報を所定の場所に通知する処理が行われる。たとえば、無線基地局に接続されている図示しない加入者交換局に対し、位置登録動作のみが繰り返される（ステップＣ２）。また、たとえば前記加入者交換局などに対して緊急の発呼が行われる（ステップＣ３）。
【００２５】
また、前記加入者交換局を介して携帯電話会社などのサービス会社に自動的に電話され、携帯電話機１１の位置情報が通知される（ステップＣ４）。また、予め設定されているアドレスに緊急の電子メールが送出され、携帯電話機１１の位置情報が通知される（ステップＣ５）。また、撮像部１９により携帯電話機１１の周辺の画像（写真）が取り込まれ、予め設定されているアドレスに送出され、同携帯電話機１１の存在する場所が通知される（ステップＣ５）。これらの処理により、携帯電話機１１が盗難に遭った場合や紛失した場合、同携帯電話機１１の存在する場所が容易に解明され、回収が容易になる。また、ステップＣ１において、特殊動作が行われるように設定されていない場合、解除コード入力画面が表示され、解除コード入力待ちの状態となる（ステップＣ６）。
【００２６】
以上のように、この実施形態では、携帯電話機１１自体で使用可能なＳＩＭカードを認識するので、携帯電話機１１が盗難に遭った場合や紛失した場合に他のＳＩＭカードに差し替えられても、このＳＩＭカードが携帯電話機１１の使用が許可されていない電話加入者のものであれば、同携帯電話機１１が使用不可能になる。このため、記憶部１５に記憶されている情報が他人に読み出されることが回避される。また、携帯電話機１１の使用が許可されていない電話加入者のＳＩＭカードが装着された場合、携帯電話機１１の位置情報が所定の場所に通知されるので、同携帯電話機１１の存在する場所が容易に解明される。このため、盗難に遭った場合や紛失した場合でも、回収が容易になる。
【００２７】
以上、この発明の実施形態を図面により詳述してきたが、具体的な構成はこの実施形態に限られるものではなく、この発明の要旨を逸脱しない範囲の設計の変更などがあっても、この発明に含まれる。
たとえば、実施形態では、加入者カードとしてＧＳＭ方式の携帯電話機に用いられるＳＩＭカードを例にして説明したが、同様の機能をもつ加入者カードであれば、任意のもので良い。また、携帯電話機１１に同携帯電話機１１の使用が許可されていない電話加入者のＳＩＭカードが装着されたとき、図４中のステップＣ２，Ｃ３，Ｃ４，Ｃ５における処理に限らず、たとえば、同携帯電話機１１の所有者の自宅や警察署などに連絡しても良い。また、携帯電話機１１にＧＰＳ（Ｇｌｏｂａｌ  Ｐｏｓｉｔｉｏｎｉｎｇ  Ｓｙｓｔｅｍ  ）受信機を設け、同ＧＰＳ受信機で同携帯電話機１１の位置を検出し、検出結果を予め設定されているアドレスに送出しても良い。また、記憶部（識別データ記憶部）１５に記憶する加入者識別データの数は、必要に応じて任意に設定して良い。
【００２８】
【発明の効果】
以上説明したように、この発明の構成によれば、携帯電話機自体で使用可能な加入者カードを検出するので、同携帯電話機が盗難に遭った場合や紛失した場合に他の加入者カードに差し替えられても、この加入者カードが当該電話機の使用が許可されていない電話加入者のものであれば、同携帯電話機を使用不可能にできる。このため、記憶部に記憶されている情報が他人に読み出されることを回避できる。また、当該電話機の使用が許可されていない電話加入者の加入者カードが装着された場合、携帯電話機の位置情報が所定の場所に通知されるので、同携帯電話機の存在する場所が容易に解明され、盗難に遭った場合や紛失した場合でも、回収を容易にできる。
【図面の簡単な説明】
【図１】この発明の実施形態である携帯電話機の電気的構成を示すブロック図である。
【図２】携帯電話機１１の使用が許可された電話加入者のＳＩＭカードが同携帯電話機１１に設定される動作を説明するフローチャートである。
【図３】ＳＩＭカードが装着されたときの携帯電話機１１の動作を説明するフローチャートである。
【図４】携帯電話機１１の使用が許可されていない電話加入者のＳＩＭカードが装着されたときの携帯電話機１１の動作を説明するフローチャートである。
【図５】従来の携帯電話機の電気的構成を示すブロック図である。
【符号の説明】
１１      携帯電話機
１２      アンテナ
１３      無線部
１４      制御部
１４ａ      ＣＰＵ（中央処理装置）
１４ｂ      ＲＯＭ（リード・オンリ・メモリ）
１４ｃ      一致／不一致検出部
１５      記憶部（識別データ記憶部）
１６      表示部
１７      操作部
１８      ＳＩＭ（Ｓｕｂｓｃｒｉｂｅｒ  Ｉｄｅｎｔｉｔｙ  Ｍｏｄｕｌｅ、識別データ読取り部）
１９      撮像部（撮像手段）
２０      画像処理部
２１      ＳＩＭカード
【図１】
2004328372.tif 000003
【図２】
2004328372.tif 000004
【図３】
2004328372.tif 000005
【図４】
2004328372.tif 000006
【図５】
2004328372.tif 000007